(57)【要約】【課題】使用時にはペットの排泄場所として板状のマットを利用し、使用後には携帯容易により小さくまとめることができるペット用トイレマットを提供する。【解決手段】ペット用トイレマット１において、ペットがトイレとして使用をする際は、該マットを板状として使用する形態をとる（第１形態）。そして、使用後はロール状にすることでより小さくまとめる形態をとる（第２形態）。前記第１形態と前記第２形態とに自在に変化可能なペット用トイレマットとすることで、携帯容易なペット用トイレとして使用できる。【選択図】  図１
2007110929.tif 000002
【特許請求の範囲】
【請求項１】
ペットの排泄場所として利用されるマットであって、
板状を呈する第１形態と、携帯容易により小さくまとめられた第２形態と、
に自在に変化可能なペット用トイレマット。
【請求項２】
前記第２形態は、ロール状に巻かれた形態であることを特徴とする請求項１記載のペット用トイレマット。
【請求項３】
前記マットにペット用トイレシートを固定する固定具を備えることを特徴とする請求項１記載のペット用トイレマット。
【請求項４】
前記マットの縁に立壁が設けられたことを特徴とする請求項１から３のいずれか一項に記載のペット用トイレマット。
【請求項５】
前記立壁は、マットに対して脱着自在であることを特徴とする請求項４に記載のペット用トイレマット。
【発明の詳細な説明】
【技術分野】
【０００１】
本発明は、ペット用トイレマットに関する。より詳しくは、携帯時は小さくまとめることができ、使用時はペット用トイレを速やかに形成できるペット用トイレマットに関する。
【背景技術】
【０００２】
犬、猫等のペットを室内で飼う場合、ペットの排泄物の処理のためペット用トイレが用いられている。例えば、箱状として排泄物が飛散しないようにするもの等である（例えば、特許文献１参照。）。
【０００３】
また、ペットの排泄物が飛散しないように吸水性素材を用いたペット用トイレシートが知られている（例えば、特許文献２参照。）。この種のトイレシートは、ペット用トイレの排泄場所にあらかじめ敷くことで排泄物の飛散防止に役立つものである。
【特許文献１】特開平１０−２２５２４３号公報。
【特許文献２】特開２００２−７８７３８号公報。
【発明の開示】
【発明が解決しようとする課題】
【０００４】
旅先や訪問先などの外出先にペットを同伴する場合、飼い主がペット用トイレを持参する場合がある。その場合、家庭等で日常的に使用するペット用トイレ等では、その形状が立体的形状のため嵩張ってしまい、持ち運びに優れない問題点があった（例えば、特許文献１参照。）。また、外出先でペットが急に便意を催すことがある。その場合、飼い主は急いでペット用トイレを準備しなければならなかった。
【０００５】
そこで、本発明の目的は、前記の問題点を解決するペット用トイレマットを提供することを主目的とする。
【課題を解決するための手段】
【０００６】
本発明では、まず、排泄場所として利用するマットが板状の形態である第１形態と、該マットを携帯容易により小さくまとめた形態である第２形態とに自在に変化可能なペット用トイレマットを提供する。次に、本発明では、前記第２形態をロール状に巻いた形態としたペット用トイレマットを提供する。そして、本発明では、ペット用トイレシートを前記マット上に固定する固定具を設けたペット用トイレマットを提供する。該固定具はペット用トイレマットのズレを防止する。また、本発明では、排泄場所として利用するマットの縁に立壁を設けたペット用トイレを提供する。
【発明の効果】
【０００７】
本発明によれば、ペット用トイレマットを前記第１形態から、より小さくまとめられた第２形態に自在に変化可能とする。これにより、ペット用トイレとして使用しない時はより小さくまとめることで携帯容易にでき、ペット用トイレとして使用する時は飼い主が速やかにペット用トイレの形成することが可能である。
【発明を実施するための最良の形態】
【０００８】
以下、本発明の好適な実施形態について、添付図面を参照しながら説明する。以下に説明する実施形態は、本発明の代表的な実施形態の一例を示したものであり、本発明は、以下の実施形態の形状等に狭く限定されない。なお、以下で説明する「第１形態」とは、ペット用トイレマットの使用時の形態である板状の形態を意味し、「第２形態」とは、ペット用トイレマットを携帯容易により小さくまとめられた形態を意味する。
【０００９】
図１は、本発明に係るペット用トイレマット１の第１形態の外観斜視図である。ペット用トイレマット１の上面にペット用トイレシート２を敷き、ペット用トイレシート２を固定具１１ａ，１１ｂで固定している。      
【００１０】
ペット用トイレマット１の素材は特に限定しないが、撥水性のある素材であって、加工容易性、使用耐久性及び、変形容易性に優れた素材が好ましい。例えば、ゴムやシリコーン樹脂等が挙げられる。
【００１１】
また、ペット用トイレマット１の長さＬ、幅Ｍ及び、厚さＨは、目的に応じて設計変更が可能である。例えば、大型犬に使用する場合、体長に応じて長さＬ及び幅Ｍを長くすることもできる。
【００１２】
ペット用トイレシート２は、形状、素材等、特に限定しない。例えば、市販されている吸水シート等であれば使用可能である。
【００１３】
固定具１１ａ，１１ｂは、ペット用トイレマット１とペット用トイレシート２とのズレを防止する機能を持つ。ズレを防止する手段は特に限定しないが、例えば、重量の重い材料を使って固定することができる。
【００１４】
また、固定具１１ａ，１１ｂの形状も特に限定しないが、例えば、犬が使用する場合、犬の好む骨の形状にして、美的処理を施すこともできる。更に、固定具１１a，１１ｂの内部にペット用小物を収納できる小物入れとすることもできる。
【００１５】
図２は、ペット用トイレマット１が携帯容易により小さくまとめられた第２形態の外観斜視図である。本発明は、ペット用トイレマットが携帯容易な程度に小さくまとめることができればよいのであって、そのまとめ方は、特に限定しない。
【００１６】
例えば、図２に示すように、ペット用トイレマット１をロール状に丸めることで、小さくまとめることができる。
【００１７】
図３は、小さくまとめられたペット用トイレマット１と、固定具１１ａ，１１ｂを収納具３に収納した状態のペット用トイレマットセットの外観斜視図である。
【００１８】
収納具３の形状、材料は特に限定しないが、例えば、図３に示すように筒状にすることができる。また、収納具３を丈夫な布や合成樹脂等を用いて軽量化すれば、より携帯に便利である。
【００１９】
ペット用トイレマット１及び、固定具１１ａ，１１ｂの、収納具３への収納方法は特に限定しないが、例えば、図３に示すように蓋３１と本体３２を脱着することで、収納することができる。また、収納具３に開閉チャックやジッパー等を設けたり、収納具全体を巾着型にし、上部より収納可能にすることもできる。
【００２０】
更に、収納具３に携帯容易にするための付属部品を備えることが可能である。付属部品は特に限定しないが、例えば、図３に示すような持ち手３３を備えることができる。また、肩掛けベルトを備えたり、転がして運べるよう、キャスターを備えたりすることもできる。
【００２１】
図４は、図２とは異なった実施形態であるペット用トイレマット１０の第２形態を示す外観斜視図である。この実施形態では、ペット用トイレマット１０を短冊状に折りたたむことで、携帯容易により小さくまとめられている。
【００２２】
ペット用トイレマットには、短冊状に折りたたみ易くするために、例えば、図４に示すように、ペット用トイレマット１０の折曲部に切れ込み１０ａを設けることができる。  
【００２３】
図５は、図１とは異なった実施形態であるペット用トイレマット１の第１形態を上部からみた平面図である。ペット用トイレマット１の縁には、立壁１２ａ，１２ｂが設けられている。ペット用トイレマット１の上面にペット用トイレシート２が敷かれており、該シートには固定具１１ａ，１１ｂで固定されている。  
【００２４】
図６は、図５中のＩ−Ｉ線矢視断面図である。ペット用トイレマット１の縁には、立壁１２ａ，１２ｂが設けられており、ペット用トイレマット１の上面にペット用トイレシート２が敷かれている。
【００２５】
立壁１２ａ，１２ｂの高さは、目的に応じて設計変更が可能である。例えば、ペットの排泄物の量や使用環境等に応じて設計変更できる。立壁１２ａ，１２ｂを設けることは、ペットの排泄物がマット外へ漏れ出すのを防止するといった利点がある。
【００２６】
図７は、ペット用トイレマット１の第１形態の断面図である。ペット用トイレマット１の上面にはペット用トイレシート２を敷かれており、固定具１１ａ（１１ｂ）で固定されている。
【００２７】
ペット用トイレマット１と固定具１１ａ（１１ｂ）には、ペット用トイレシート２のズレをより確実に防止するための工夫をすることができる。例えば、図７で示すように、固定具１１ａ（１１ｂ）の底面にマグネット１１１を備え、ペット用トイレマット１の上面にもマグネット１１２を備えることで、ペット用トイレシート２が磁力により挟持され、ズレをより確実に防止することができる。
【００２８】
図８は、図５中のペット用トイレマット１の変形形態の（図５中の矢印Ｆ方向から視た）正面図である。この変形形態の立壁１２ｃの上部には切れ込み１２１が形成されている。これらの切れ込み１２１を有することにより、小さく丸めることが容易になる。例えば、立壁１２ｃと同方向に丸める際、立壁が邪魔になることが考えられるが、立壁１２ｃが切れ込み１２１を有することにより、丸め易くなるという利点がある。
【００２９】
立壁１２ｃは、取り外せるように設計することも可能である。取り外すことができれば、洗浄等が容易にでき、ペット用トイレマットを清潔に保つことができるという利点がある。更に、収納し易いといった利点もある。例えば、図８に示すように、立壁１２ｃの底面に凸部１２２，１２２を設け、ペット用トイレマット１の上面に、前記凸部が挿入される凹部１１３，１１３を設けてもよい。
【００３０】
図９は、図５とは異なった実施形態であるペット用トイレマット１００ａ及び１００ｂの第１形態を上部から視た平面図である。２つのペット用トイレマット１００ａと１００ｂを繋げて使用する形態を示しており、繋ぎ目側の立壁１２ｄは取り外し可能となっている。マットの面積を拡大することで、大型犬でも使用できるという利点がある。
【００３１】
繋ぎ方は、特に限定しないが、例えば、図９に示すように、ペット用トイレマット１００ａの右側面に凸部１０１と凹部１０２を設け、ペット用トイレマット１００ｂの左側面にも同様に凸部１０１と凹部１０２を設け、凹凸部を結合させる方法がある。
【００３２】
繋ぎ目を挟んで両脇の立壁１２ａ，１２ｂは、固定されていてもよく、繋ぎ目側の立壁１２ｄと同様に取り外し可能であってもよい。
【００３３】
また、繋ぎ目は、立壁１２ａ，１２ｂ側の辺にも設けることができ、更には、縦横全ての辺に設けることも可能である。繋ぎ目が全ての辺に設けられていれば、繋げられるペット用トイレマットの数を無限に広げることができ、小型犬から大型犬まで使用可能になるばかりでなく、日常的には大きく使い、持ち運ぶときには小さくできるといった利点がある。
【産業上の利用可能性】
【００３４】
本発明は、使用後は小さくまとめ、使用時はペット用トイレを速やかに形成できるペット用トイレマットとして利用できる。
【図面の簡単な説明】
【００３５】
【図１】本発明に係るペット用トイレマット（１）の第１形態の外観斜視図。
【図２】同第２形態の外観斜視図。
【図３】本発明に係るペット用トイレマット（１）を収納具（３）に収納した状態のペット用トイレマットセットの外観斜視図。
【図４】本発明に係るペット用トイレマット（１）の第２形態の外観斜視図。
【図５】同第１形態の平面図。
【図６】図５中のＩ−Ｉ線矢視断面図。
【図７】同１第１形態の断面図。
【図８】図５中のペット用トイレマット（１）の変形形態の矢印Ｆ方向から見た正面図。
【図９】本発明に係るペット用トイレマット（１００ａ，１００ｂ）の第１形態の平面図。
【符号の説明】
【００３６】
１，１０，１００ａ，１００ｂ  ペット用トイレマット
２  ペット用トイレシート
１１ａ，１１ｂ  固定具
３  収納具
１２ａ，１２ｂ，１２ｃ，１２ｄ  立壁
【図１】
2007110929.tif 000003
【図２】
2007110929.tif 000004
【図３】
2007110929.tif 000005
【図４】
2007110929.tif 000006
【図５】
2007110929.tif 000007
【図６】
2007110929.tif 000008
【図７】
2007110929.tif 000009
【図８】
2007110929.tif 000010
【図９】
2007110929.tif 000011